(57)【要約】      （修正有）【課題】持ち運び、収納、開閉、位置調整、操作等の複数の機能を一体的に持ち合わせ、特に位置調整を容易に行うことのできる機能性携帯機器用ホルダーを提供する。【解決手段】機能性携帯機器用ホルダー１０は、携帯機器Ｐと面積が同程度か又はやや大きい板状の基材１と、携帯機器Ｐを基材１とともに相互に対向して覆うための板状の蓋部材２と、基材１と蓋部材２とを繋いでそれらを開閉可能になすための第一のヒンジ３と、携帯機器Ｐを嵌合させて保持するための保持部材４を備える。基材１は、上下に分別された基材上部１ａ及び基材下部１ｂを第二のヒンジ１３で折板状に所望の角度に調整可能であり、蓋部材２は、保持部材４により保持された携帯機器Ｐを蓋部材２の面に沿って移動させるためのスライド部材を設け、スライド部材は、ホルダー１０が閉じられている際には蓋部材２の下方に位置し、ホルダー１０が開かれると自動的に蓋部材２の上方に移動できる。【選択図】図１
2018129634.tif 000002
【特許請求の範囲】
【請求項１】
携帯機器と面積が同程度か又はそれよりもやや大きい板状の基材と、
前記携帯機器を前記基材とともに相互に対向して覆うための板状の蓋部材と、
前記基材と前記蓋部材とを繋いでそれらを開閉可能になすための第一のヒンジと、
前記携帯機器を嵌合させて保持するための保持部材と、を備えた携帯機器用ホルダーであって、
前記基材は、上下に二分された基材上部及び基材下部を第二のヒンジで折板状に所望の角度に調整可能になされており、
前記蓋部材は、前記保持部材により保持された前記携帯機器を該蓋部材の面に沿って移動させるためのスライド部材が設けられ、
前記スライド部材は、ホルダーが閉じられている際には前記蓋部材の下方に位置し、ホルダーが開かれると自動的に前記蓋部材の上方に移動できるように構成されていることを特徴とする機能性携帯機器用ホルダー。
【請求項２】
前記スライド部材は、前記保持部材の略中央部を固定しつつ、前記蓋部材の左右両側部に位置する弾性体としての二つのバネによって移動可能になされている、請求項１記載の機能性携帯機器用ホルダー。
【請求項３】
前記スライド部材は、前記蓋部材の左右両側部にある二つの前記バネそれぞれの一端と連結した薄板状の橋架部と、該橋架部の中央付近から前記蓋部材の上方に向けて突出して設けられた薄板状の突出部とが一体化されてなる、請求項２記載の機能性携帯機器用ホルダー。
【請求項４】
前記薄板状の突出部は、その先端に開口が設けられ、該開口が前記保持部材における前記携帯機器を保持する面と反対側の面の略中央部に設けられた突起と嵌合する構成となされている、請求項３記載の機能性携帯機器用ホルダー。
【発明の詳細な説明】
【技術分野】
【０００１】
本発明は、スマートフォン、タブレット型携帯情報端末等の携帯機器（携帯電話端末、携帯電子デバイスを含む）の持ち運びに便利な携帯機器用ホルダー、詳細には、持ち運び、収納、開閉、位置調整、操作等の複数の機能を一体的に持ち合わせ、特に位置調整を容易に行うことのできる機能性携帯機器用ホルダーに関する。
【背景技術】
【０００２】
従来から、スマートフォン等の携帯電子機器が広く利用され、これを持ち運ぶ際には、安易に落とさないように手に固定するホルダーやケースに入れる等のさまざまな工夫がなされてきた。
【０００３】
これまでに、例えば、スマートフォン等の携帯機器の側面又は側面付近に、指挿通部を形成し得る伸縮性部材を取り付け、落下防止を図るとともに操作する指の可動域を広げ、片手での操作を容易にする携帯機器用落下防止ホルダー（特許文献１）が開示されている。このように、片手を使って、指で止める等の手段は散見されるものの、両手を使わずに落下を防止する手段ではなかった。
【０００４】
また、嵩張らず、持ち運びしやすく、ポケットや鞄から出し入れの必要がなく、音楽を聴く時も両手フリーにできる吊りスマートフォンケース（特許文献２）が開示されている。
【０００５】
しかしながら、このケースでは、両手をフリーにしての持ち運びには便利かもしれないが、スマートフォンをケースから取り出し、画面を表示してそれを視る際には結局手を使う必要がある。このため、持ち運びに便利であり、一度画面を開けば手を使わなくても表示部位を確認できるようなスマートフォン等のための物品が望まれていた。
【０００６】
そこで、本願発明者によって携帯機器用ホルダーが開発された（特許文献３）。そして、さらに表示画面の位置調整等の機能を備えた携帯機器用ホルダーの開発がなされていた。
【先行技術文献】
【特許文献】
【０００７】
【特許文献１】特開２０１５−２３５６４号公報
【特許文献２】特開２０１５−２１３７２０号公報
【特許文献３】特許第６０４６８４６号公報
【発明の概要】
【発明が解決しようとする課題】
【０００８】
本発明は、スマートフォンなどの携帯機器の持ち運び、収納、開閉、位置調整、操作等の複数の機能を一体的に持ち合わせ、特に位置調整を容易に行うことのできる機能性携帯機器用ホルダーを提供することを目的とする。
【課題を解決するための手段】
【０００９】
本発明者は、前記課題を解決するべく鋭意研究した結果、スマートフォンを両面から覆う二の板状部材とこれらをヒンジで繋いで開閉可能になし、スマートフォンを保持するための保持部材を設けて特定の可動構造とし、板状部材のうちの１つと保持部材の可動部材とを携帯機器が見易くなる位置に調整できる構造にした携帯機器用ホルダーが、前記目的を達成し得ることの知見を得た。
【００１０】
本発明は、前記知見に基づきなされたもので、下記の発明を提供することにより、その目的を達成したものである。
【００１１】
１．携帯機器と面積が同程度か又はそれよりもやや大きい板状の基材と、
前記携帯機器を前記基材とともに相互に対向して覆うための板状の蓋部材と、
前記基材と前記蓋部材とを繋いでそれらを開閉可能になすための第一のヒンジと、
前記携帯機器を嵌合させて保持するための保持部材と、を備えた携帯機器用ホルダーであって、
前記基材は、上下に二分された基材上部及び基材下部を第二のヒンジで折板状に所望の角度に調整可能になされており、
前記蓋部材は、前記保持部材により保持された前記携帯機器を該蓋部材の面に沿って移動させるためのスライド部材が設けられ、
前記スライド部材は、ホルダーが閉じられている際には前記蓋部材の下方に位置し、ホルダーが開かれると自動的に前記蓋部材の上方に移動できるように構成されていることを特徴とする機能性携帯機器用ホルダー。
【００１２】
２．前記スライド部材は、前記保持部材の略中央部を固定しつつ、前記蓋部材の左右両側部に位置する弾性体としての二つのバネによって移動可能になされている、前記１記載の機能性携帯機器用ホルダー。
【００１３】
３．前記スライド部材は、前記蓋部材の左右両側部にある二つの前記バネそれぞれの一端と連結した薄板状の橋架部と、該橋架部の中央付近から前記蓋部材の上方に向けて突出して設けられた薄板状の突出部とが一体化されてなる、前記２記載の機能性携帯機器用ホルダー。
【００１４】
４．前記薄板状の突出部は、その先端に開口が設けられ、該開口が前記保持部材における前記携帯機器を保持する面と反対側の面の略中央部に設けられた突起と嵌合する構成となされている、前記３記載の機能性携帯機器用ホルダー。
【発明の効果】
【００１５】
本発明によれば、スマートフォンなどの携帯機器の持ち運び、収納、開閉、位置調整、操作等の複数の機能を一体的に持ち合わせ、特に位置調整を容易に行うことのできる機能性携帯機器用ホルダーを提供することができる。
【図面の簡単な説明】
【００１６】
【図１】本発明の一実施形態に係る機能性携帯機器用ホルダーの使用状態の一例（蓋となる部材を開いた状態）を示す斜視図である。
【図２】図１の機能性携帯機器用ホルダーにおける携帯機器が保持部材とともに上部にスライドした後の位置調整の状態を示す斜視図である。
【図３】図１の機能性携帯機器用ホルダーにおける基材を説明するために構成部材の一部を省略して示す斜視図である。
【図４】（ａ）は、図１の機能性携帯機器用ホルダーにおける蓋となる部材の面上を移動するスライド部材の可動状態を説明するための概略説明図であり、（ｂ）は、蓋となる部材を開いた状態でのスライド部材の停止位置を示すための概略説明図である。
【図５】（ａ）は、図１の機能性携帯機器用ホルダーにおける保持部材の裏面の縦向き状態を示す斜視図であり、（ｂ）は、（ａ）を横向きにした状態を示す斜視図である。
【図６】図１の機能性携帯機器用ホルダーにおけるスライド部材を示す平面図である。
【発明を実施するための形態】
【００１７】
以下、本発明について、その好ましい実施形態に基づき詳細に説明する。
本発明の一実施形態に係る機能性携帯機器用ホルダーは、図１に示すように、通常、スマートフォンやタブレット型携帯情報端末等の携帯機器を使用する者の胸部から腹部にかけての所望する位置において使用される。このような位置に設置すれば、携帯機器の持ち運び、収納、開閉、位置調整、操作等の機能を容易に発揮できるため好ましい。この際、例えば、吊り下げ用紐１２等を携帯機器用ホルダー１０に取り付けて使用することができる。
【００１８】
本実施形態に係る機能性携帯機器用ホルダー１０について、蓋を開いた状態の斜視図（図１）、携帯機器としてのスマートフォンＰの位置を調整する状態を示す斜視図（図２）等を参照しながら説明する。
【００１９】
本実施形態の機能性携帯機器用ホルダー１０は、図１及び図２に示すように、携帯機器としてのスマートフォンＰと面積が同程度か又はそれよりもやや大きい板状の基材１と、スマートフォンＰを基材１とともに相互に対向して覆うための板状の蓋部材２と、基材１と蓋部材２とを繋いでそれらを開閉可能になすための第一のヒンジ３と、スマートフォンＰを嵌合させて保持するための保持部材４と、を備えている。
【００２０】
そして、基材１は、図３に示すように、その中央付近で上下に二分された基材上部１ａ及び基材下部１ｂを第二のヒンジ１３で折板状に所望の角度に調整可能になされている。基材上部１ａ及び基材下部１ｂは、スマートフォンＰの収納時には真っ直ぐ（両部のなす角度は１８０°）なっているが、蓋部材２を開いた際にこれらの角度を調整することで、スマートフォンＰを見る角度の調整の幅に自由度が増し、最も適切な位置に容易にすることができる（図２参照）。
【００２１】
蓋部材２は、保持部材４により保持された携帯機器Ｐを蓋部材２の面に沿って移動させるためのスライド部材５が設けられている。
【００２２】
スライド部材５は、ホルダー１０が閉じられている際には蓋部材２の下方（第一のヒンジ３のある方）に位置し、ホルダー１０が開かれると自動的に蓋部材２の上方に移動できる（図１の矢印の方向に動く）ように構成されている。
【００２３】
図４（ａ）に示すように、スライド部材５は、図示しない保持部材４の略中央部を固定しつつ、蓋部材２の左右両側部に位置する弾性体としての二つのバネ６，６によって移動可能になされている。かかる構造により、蓋部材２を開くだけで手動による力を加えずに保持部材４を安定して移動でき、スマートフォンＰの最も高く見易い位置を確保できる。また、バネ６，６は、蓋部材２の両側部（外側）における丸みを帯びた曲面の溝内、具体的には内側のスライド部材５が通過する部分を開けた半筒状の溝内に設けられている。これにより、ホルダー１０の全体を薄型にしても強度を高めることができ、側方等からの耐衝撃性を備えるものにできる。
【００２４】
スライド部材５は、二つのバネ６，６の引張力によって、ホルダー１０における蓋部材２の最上部に留まるようになる。これにより、スライド部材５と連動して移動した保持部材４におけるスマートフォンＰを最も高く見易い位置で表示の閲覧や操作等を行うことが可能となる。かかる構造とともに、前述の基材１における上下部１ａ及び１ｂの両部材の角度調整を併せて行うようにすれば、本発明の機能・効果は顕著に発揮される。
【００２５】
開いた状態のホルダー１０からスマートフォンＰを収納する際には、最上部に位置するスマートフォンＰを含む保持部材４を蓋部材２の下方へ手動で押し込む等すればよい。蓋部材２の下方へのスマートフォンＰの移動は、バネ６，６の反発力に対してそれほど強い力を要することもない。
【００２６】
本実施形態では、基材１の上部中央部位に、蓋止め部材１４が取り付けられている（図１及び３参照）。この蓋止め部材１４が下方へ移動させたスマートフォンＰをロックする機能を果たす。これによりホルダー１０を閉じることができ、スマートフォンＰを収納することができる。
【００２７】
スライド部材５の構造は、図４（ａ）に示すように、蓋部材２の左右両側部にある二つのバネ６，６それぞれの一端と連結した薄板状の橋架部５ａと、その中央付近から蓋部材２の上方に向けて突出して設けられた薄板状の突出部５ｂとが一体化されて構成されている。なお、薄板状の橋架部５ａと連結したバネ６，６それぞれの他端は、蓋部材２の左右両側部の最上部に固定されている。
【００２８】
薄板状の突出部５ｂは、その先端が丸みを帯びており、そこに開口（丸い溝）Ｏが設けられている。この開口Ｏが保持部材４におけるスマートフォンＰを保持する面と反対側の面の略中央部に設けられたボタン部（丸い突起）Ｂと嵌合する構成となされている（図５（ａ）及び（ｂ）参照）。この構成により、スマートフォンＰを有する保持部材４は、蓋部材２上のスライド部材５から容易に取り外しができ、また取付けた状態で自由に回転可能なものとなる。
【００２９】
スライド部材５の開口に保持部材４裏面のボタン部Ｂを取付けて嵌合させる際には、図６に示すように、突出部５ｂにおける開口Ｏの周囲の一部を開けてボタン部Ｂを押し込むことで容易に取り付けられる。そして、開いた開口Ｏの周囲の一部を閉じるとロック機能により保持部材４のボタン部Ｂが開口Ｏから外れることなく固定される。
【００３０】
このようにして、スライド部材５は、保持部材４と固定され、バネ６，６によって蓋部材２の上部へ移動できる。特に、スライド部材５における突出部５ｂを設けたことで、より高くスマートフォンＰを位置させることができ、本発明の機能を一層発揮できる。
【００３１】
本実施形態においては、基材１の上部に、取り付け部１１が設けられ、該取り付け部１１に吊り下げ用紐を取り付けて首紐等として使用されることが好ましい。
【００３２】
本実施形態に係る携帯機器用ホルダー１０は、前述した構造を備えるため、スマートフォンＰ等の携帯機器の持ち運びに便利であり、その収納や開閉のほか、位置調整や操作し易い等の機能を有し、特に位置調整を容易に行うことができる。
【００３３】
次に、本実施形態に係る携帯機器用ホルダー１０の機能について、使用時における状態を示して説明する。
【００３４】
まず、携帯機器用ホルダー１０を持ち運ぶ際には、図示しないが、スマートフォンＰを保持部材４に嵌め込み、これを蓋部材２の下方へ押し込んで、基材１に寄り合わせて蓋部材２を閉じた状態とする。このとき、蓋部材２を閉じたまま動かないように、通常、基材１の上部中央部位に、蓋止め部材１４が取り付けられている。そして、基材１の上部に設けた取り付け部１１に吊り下げ用紐を取り付けて、これを首にかけて携帯機器用ホルダー１０を使用者の胸部から腹部における所望の位置に保持して持ち運ぶ。このように、携帯機器用ホルダー１０は、両手をフリーにしたまま、いつでも、すぐにスマートフォンＰを適切な位置で開ける状態にしておくことができる。
【００３５】
携帯機器用ホルダー１０におけるスマートフォンＰを使う際には、閉じられた状態から、図１に示すように、蓋部材２を矢印（左側）の方向に開く。このとき、蓋部材２におけるスライド部材５（スマートフォンＰ及びの保持部材４の裏側で図２に示される）に取付けられた保持部材４の中のスマートフォンＰが、蓋部材２と連動して開くことになる。蓋部材２を開く際には、スマートフォンＰを操作、閲覧等し易くなるように、適宜な角度まで開いて止める。特にスマートフォンＰの画面を閲覧するだけの場合には、両手をフリーにして行うことができる。
【００３６】
携帯機器用ホルダー１０におけるスマートフォンＰは、蓋部材２を開くと同時に、保持部材４ごと斜め上（矢印（右側）の方向）に自動的に移動する。これにより、スマートフォンＰの操作、閲覧等を一層し易くなる。
【００３７】
本実施形態に係る携帯機器用ホルダー１０は、持ち運びの必要がない場合には、第一のヒンジ３を調整して、携帯機器用ホルダー１０における蓋部材２を１８０°以上開いて置物として用いることもできる。
【００３８】
本実施形態においては、第一のヒンジ３自体の摩擦抵抗により、簡易な構造として、蓋部材２を手で動かしたり、適宜な位置に留めることができる。なお、第一のヒンジ３として摩擦抵抗のない自然に動くフリーなものを使用する場合は、蓋部材２を適宜な位置に留ませることのできるストッパー部材を別に設ける等により、本発明の機能を発揮することができる。
【００３９】
本発明は、前述した実施形態を好ましく提供できるが、これに限定されず、他の変更形態とすることもできる。
例えば、スマートフォンに対応するホルダーに代えて、その大きさを調整することにより、タブレットＰＣ等のタブレット型携帯情報端末用のホルダーにすることも可能である。
【００４０】
また、基材１として、前述の第二のヒンジ１３によって１ａ，１ｂに二分されたもののほか、更に第三、第四…のヒンジを設けて、三分、四分…としたものを用いてより微調整を行うこともできる。これにより、画面表示内容が見やすくなる等により一層本発明の機能を発揮できる。
【００４１】
スマートフォンＰを含む保持部材４は、前述の実施形態では回転可能であるが、さらに、スライド部材５と保持部材４との間に、特定の向きで回転を止める部材を挟み込んで取り付けることで、スマートフォンＰを含む保持部材４をスライドさせた後、スマートフォンＰを９０°回転させて左右横向きにしたり、１８０°回転させて下向きにすることもできる。このような部材のほか種々の部材を取り入れることで、多機能ホルダーとして提供することが可能となる。
【産業上の利用可能性】
【００４２】
本発明は、スマートフォンなどの携帯機器の持ち運び、収納、開閉、位置調整、操作等の複数の機能を一体的に持ち合わせ、特に位置調整を容易に行うことのできる機能性携帯機器用ホルダーとして、産業上の利用可能性を有する。
【符号の説明】
【００４３】
１０…機能性携帯機器用ホルダー
１…基材
１ａ…基材上部，１ｂ…基材下部
１１…吊り下げ用紐取り付け部
１２…吊り下げ用紐
１３…第二のヒンジ
１４…蓋止め部材
２…蓋部材
３…第一のヒンジ
４…携帯機器の保持部材
５…スライド部材
５ａ…薄板状の橋架部
５ｂ…薄板状の突出部
Ｐ…携帯機器（スマートフォン）
Ｏ…開口
Ｂ…ボタン部（突起）
【図１】
2018129634.tif 000003
【図２】
2018129634.tif 000004
【図３】
2018129634.tif 000005
【図４】
2018129634.tif 000006
【図５】
2018129634.tif 000007
【図６】
2018129634.tif 000008